(57)【特許請求の範囲】
【請求項１】
細胞治療のためのデバイスであって、
当該デバイスは、
生体組織に付けられるように設計されており、
少なくとも堅固な第１壁部であって当該第１壁部と前記生体組織との間にキャビティを形成するように設計されている第１壁部と、
少なくとも多孔性部分を有する第２壁部と、
前記キャビティに治療物質を供給する供給手段と、を有し、
前記キャビティは、前記第１及び第２壁部間に形成されており、
治療薬は、前記多孔性部分を通って投与され、
前記第２壁部は、生体適合性を有し、
当該デバイスは、ほぼシリンダ状をなしており、
前記第１壁部は、堅固な内壁部であり、
前記第２壁部は、外壁部であり、
拡張手段は、前記内壁部に径方向外方の圧力をもたらし、前記内壁部を前記外壁部に推進させるために設けられており、当該デバイスの径方向拡張をもたらす傾向があることを特徴とするデバイス。
【請求項２】
前記供給手段は、供給カテーテルに接続して前記治療物質を供給して供給後に当該供給手段を通って供給された前記治療物質が漏洩することを防止するバルブを備えることを特徴とする請求項１に記載のデバイス。
【請求項３】
当該デバイスの２つのほぼ反対側の端部それぞれに１つある少なくとも２つの前記バルブがあることを特徴とする請求項２に記載のデバイス。
【請求項４】
カテーテル部分は、取り外し可能な方式で、前記供給カテーテルを分岐するように設けられていることを特徴とする請求項２または３に記載のデバイス。
【請求項５】
前記多孔性部分は、微小穿孔材料で形成されていることを特徴とする請求項１から４のいずれか１項に記載のデバイス。
【請求項６】
前記多孔性部分は、ウィードファブリックで形成されていることを特徴とする請求項１から４のいずれか１項に記載のデバイス。
【請求項７】
前記多孔性部分は、コラーゲンで形成されていることを特徴とする請求項１から４のいずれか１項に記載のデバイス。
【請求項８】
前記第１及び第２壁部の一方は、前記第１及び第２壁部の他方を向く面において、浮彫状のパターンを備えていることを特徴とする請求項１から７のいずれか１項に記載のデバイス。
【請求項９】
前記外壁部は、２つの堅固な環状端部と、前記環状端部間にある前記多孔性部分と、を有していることを特徴とする請求項１から８のいずれか１項に記載のデバイス。
【請求項１０】
前記拡張手段は、弾性手段であることを特徴とする請求項１から９のいずれか１項に記載のデバイス。
【請求項１１】
前記拡張手段は、ステント型であることを特徴とする請求項１から１０のいずれか１項に記載のデバイス。
【請求項１２】
前記キャビティを充填する治療薬は、細胞の懸濁液であることを特徴とする請求項１から１１のいずれか１項に記載のデバイス。
【請求項１３】
前記懸濁液中の前記細胞は、歯肉線維芽細胞であることを特徴とする請求項１２に記載のデバイス。
【請求項１４】
生物学的導管または中空臓器における傷の治療に使用されることを特徴とする請求項１から１３いずれか１項に記載のデバイス。
【請求項１５】
血管の傷の治療に使用されることを特徴とする請求項１４に記載のデバイス。
【発明の詳細な説明】
【技術分野】
【０００１】
本出願は、２００７年１０月９日に出願した米国仮特許出願第６０／９７８５１８号の利益を主張する。
【０００２】
本発明は、細胞が必要な個体の身体部分に細胞を投与するのに適したデバイスに関する。また、本発明は、このようなデバイスの異なる治療的用途に関する。
【背景技術】
【０００３】
細胞治療は、個体の組織における皮膚または血管の傷などの傷を、上記傷を治療するのに適した細胞を個体に投与することによって、治すことを目的としている。
【０００４】
傷部位に細胞を投与するさまざまな方法が存在している。例えば、個体における皮膚の傷または火傷の場合において、例えば非特許文献１に記載されているように、自己皮膚線維芽細胞(autologous dermal fibroblasts)は、生体適合性格子(biocompatible lattice)に培養され、生体適合性格子は、その後に個体に移植される。この技術に関連する主な欠点は、移植前に格子に移植するために皮膚線維芽細胞に必要である長い培養時間にある。
【先行技術文献】
【非特許文献】
【０００５】
【非特許文献１】Coulomb et al. (1998) Plast. Reconstr. Surg. 101:1891-1903
【発明の概要】
【発明が解決しようとする課題】
【０００６】
血管の傷の治療の場合において、細胞は、例えば微小針が設けられた血管形成バルーンカテーテル（例えばInfiltrator（登録商標）を用いて、傷部位に注入される。しかしながら、この技術の欠点は、細胞を投与している間に血流が阻害されることである。さらに、この技術は、大血管の手順(protocol)に適しておらず、この技術自体が害を及ぼす。
【０００７】
したがって、本発明の目的は、これら欠点を克服できるデバイス及び方法を提供することである。
【課題を解決するための手段】
【０００８】
このため、本発明は、細胞治療用デバイスに関し、当該デバイスは、生体組織に付けられるように設計されており、少なくとも堅固で好ましくは生体適合性を有する第１壁部であって当該壁部と上記組織との間にキャビティを形成するように設計された第１壁部を有し、かつ、上記キャビティに治療物質を供給する手段をさらに備える。
【０００９】
上記デバイスの形態において、上記供給手段は、供給カテーテルに接続して上記物質を供給して供給後に当該供給手段を通って供給された物質が漏洩することを防止するためのバルブを備えている。
【００１０】
上記デバイスの別の形態において、デバイスの２つのほぼ反対側の端部それぞれに１つある少なくとも２つのバルブがある。
【００１１】
上記デバイスの別の形態において、カテーテル部分は、取り外し可能な方式で、供給カテーテルを分岐するように設けられている。
【００１２】
別の形態において、上記デバイスは、少なくとも多孔性部分を有する第２壁部をさらに備えており、キャビティは、上記第１及び第２壁部間に形成されており、治療薬は、上記多孔性部分を通って投与され、多孔性部分は、微小穿孔材料で、ウィードファブリック(weed fabric)で及び／またはコラーゲンで形成されており、上記第２壁部は、生体適合性を有し好ましくは生体吸収性材料である。
【００１３】
上記デバイスの別の形態において、上記第１及び第２壁部の一方、好ましくは第１壁部は、他方を向く面において、浮彫状のパターンを備えている。
【００１４】
別の形態において、上記デバイスは、ほぼシリンダ状をなしており、第１壁部は、堅固な内壁部であり、第２壁部は、外壁部である。好ましくは、外壁部は、２つの堅固な環状端部と、上記端部間にある上記多孔性部分と、を有している。さらに、拡張手段は、好ましくは上記デバイスに設けられており、内壁部に径方向外方の圧力をもたらし、上記内壁部を上記外壁部に推進させ、そしてデバイスに径方向拡張をもたらす傾向がある。好ましくは、拡張手段は、弾性手段である。同様に好ましくは、拡張手段は、ステント型である。
【００１５】
別の形態において、上記デバイスは、ほぼ平坦形状をなしている。この場合において、第２壁部の多孔性部分は、周辺堅固部分によって囲まれており、上記周辺部分は、好ましくは粘着面を有して上記多孔性部分を皮膚創傷に当接して維持する。
【００１６】
上記デバイスのさらに別の形態において、キャビティを充填する治療薬は、好ましくは歯肉線維芽細胞である細胞の懸濁液である。
【００１７】
さらなる形態において、上記デバイスは、血管の傷のような生物学的導管の傷、中空臓器の傷または平坦創傷の治療に使用される。
【００１８】
また、本発明は、血管の傷のような生物学的導管の傷、中空臓器の傷または平坦創傷の治療に使用される歯肉線維芽細胞に関し、当該歯肉線維芽細胞は、上記デバイスを用いて投与される。
【００１９】
また、本発明は、生物学的導管もしくは中空臓器の傷を治療することを目的とした腔内インプラントを製造するための、または平坦創傷を治療することを目的とした硬膏を製造するための上記デバイスの使用に関する。
【００２０】
一形態において、本発明は、とりわけ、血管の傷を治療することを目的とした血管内インプラントを製造するための上記デバイスの使用に関する。
【００２１】
また、本発明は、生物学的導管もしくは中空臓器の傷を治療することまたは平坦創傷を治療することを目的とした薬剤を製造するための例えば歯肉線維芽細胞などの細胞の使用に関し、細胞は、上記デバイスを用いて投与される。
【００２２】
一形態において、本発明は、とりわけ、例えば肉線維芽細胞などの細胞を血管の傷の治療を対象とした薬剤を製造するために使用することに関し、細胞は、上記デバイスを用いて投与される。
【００２３】
また、本発明は、細胞治療が必要な患者を治療する方法に関し、上記細胞治療に適した治療的に有効な量の細胞は、上記デバイスを用いて投与される。
【００２４】
本発明は、患者における生物学的導管または中空臓器における傷、特に血管の傷を治療する方法に関し、当該方法は、
−  上記デバイスを生物学的導管または中空臓器における傷部位、特に血管の傷部位に位置付ける工程と、
−  上記デバイスを上記創傷の治療に適した細胞、特に肉線維芽細胞の懸濁液で充填する工程と、
−  少なくとも所定期間であって、治療に有効な量の細胞が傷の方向に移動されるのに十分なかつ／または細胞が治療的に有効なパラクリン(paracrine)効果を与えるのに十分な所定期間について所定位置にデバイスを維持する工程と、
を備える。
【００２５】
同様に、本発明は、患者における平坦創傷、特に皮膚創傷を治療する方法に関し、当該方法は、
−  上記デバイスを平坦創傷の部位に位置付ける工程と、
−  上記デバイスを上記創傷の治療に適した細胞、特に肉線維芽細胞の懸濁液で充填する工程と、
−  少なくとも所定期間であって、治療に有効な量の細胞が創傷の方向に移動されるのに十分なかつ／または細胞が治療的に有効なパラクリン効果を与えるのに十分な所定期間について所定位置にデバイスを維持する工程と、
を備える。
【００２６】
好ましい形態において、上記デバイスは、単一使用のみに適している、すなわち、デバイスは、デバイスがすでに個体における細胞治療に使用されていると二度目に再使用されない。
【図面の簡単な説明】
【００２７】
【図１】血管内の所定位置にある本発明における第１実施形態のデバイスを示す長手方向部分断面図である。
【図２】本発明におけるデバイスを設置するためにバルーンを使用した図１と同様の図である。
【図３】図１または図２におけるデバイスを示す横断面図である。
【図４】同一デバイスを示す長手方向断面図である。
【図５】皮膚のような平坦面の所定位置にある本発明における第２実施形態のデバイスを示す斜視図である。
【図６】図５におけるデバイスを示す平面図である。
【発明を実施するための形態】
【００２８】
定義
本明細書で対象としているような「細胞治療法」は、例えば歯肉線維芽細胞を用いて、個体の組織における例えば血管の傷または皮膚の創傷などの傷を、上記傷を治療するのに適した細胞を上記個体に投与することによって、治すことに関する。
【００２９】
本明細書で対象としているような「治療薬」は、傷の治療を推進させる、促進させる、または改善する能力を有する任意の薬に関する。薬は、成長因子及びサイトカインからなるグループから選択された化合物のような、溶液中の化合物であってもよい。また、薬は、細胞懸濁液であってもよい。
【００３０】
本明細書で対象としているような細胞治療のための「細胞懸濁液」は、これら細胞の存続及び状況に応じてこれら細胞の成長を維持する媒体中の細胞よりなる液体化合物に関する。このような媒体は、当業者に既知である。
【００３１】
本明細書で対象としているような「生物学的導管」は、機能が身体内で流体またはガスを導く人体または動物の体内に見られる任意の導管に関する。生物学的導管は、とりわけ、血管の、消化器の、呼吸器のまたは泌尿生殖器の導管を包含する。
【００３２】
本明細書で対象としているような「生物学的導管の傷」は、上記導管の内壁における損傷または疾病に関する。
【００３３】
本明細書で対象としているような「中空臓器」または空洞臓器は、キャビティを備える任意の臓器に関する。中空臓器は、とりわけ、心臓及び胆嚢(biliary vesicle)または膀胱のような小胞器官を包含する。
【００３４】
本明細書で対象としているような「中空臓器の傷」は、上記導管の内壁における損傷または疾病に関する。
【００３５】
特に、本明細書で対象としているような「血管の傷」は、血管壁、好ましくは動脈壁の傷に関しており、この傷は、これら壁の損傷が異常に瘢痕化すると発生する。損傷は、低酸素状態、脂質過負荷、血流力学要因、粉瘤または高血圧のようなさまざまな原因からなる。異常な瘢痕化は、とりわけ、細胞外基質の分解と合成との間の不均衡に起因し、不均衡は、病的な血管再構築を引き起こす。異常な瘢痕化の徴候は、血管肥大（例えば動脈瘤）、エラスチンの損失及び血管収縮（例えば狭窄であり、アテローム発生または再狭窄、特に血管形成術後の再狭窄の場合に発生する）を包含する。
【００３６】
本明細書で対象としているような「平坦創傷」は、組織の平坦面にもたらされる任意の創傷である。平坦創傷は、とりわけ、皮膚創傷を包含する。
【００３７】
本明細書で対象としているような「皮膚創傷」は、表皮及び／または真皮の任意の裂傷に関する。
【００３８】
本発明における皮膚創傷は、特に、慢性創傷、褥瘡、静脈性潰瘍、火傷、及び放射線治療を含む偶然または医学的に関連する創傷から構成されるグループから選択される。
【００３９】
さらに、本発明における皮膚創傷は、同様に、外科創傷、すなわち外科手術中に自発的に形成された創傷であってもよい。このような外科創傷は、とりわけ、形成及び再建的手術または（例えば肥大症傷痕などの）傷痕修正創傷の過程で発生する創傷を包含する。
【００４０】
本発明における形成及び再建的手術は、例えば乳腺手術、開腹手術、鼻科外科手術、耳科外科手術、または皮膚創傷の除去などの任意のタイプであってもよい。本明細書で対象としているように、皮膚創傷は、遺伝的に傾向がある個体に見られる異常皮膚形成に、または胚形成中における異常皮膚形成の結果に関し、とりわけ、巨大母斑、口唇裂及びケロイドを包含する。
【００４１】
本明細書で対象としているような「平坦創傷の治療」または「皮膚創傷」は、創傷部位における治療の推進、促進または改善に関し、特に、創傷部位における機能性皮膚の形成に関する。
【００４２】
本明細書で対象としているような「機能性皮膚」は、非創傷皮膚領域に対して、特に皮膚の機械的性質及び皮膚のバリア機能を回復した皮膚に関する。
【００４３】
本明細書で対象としているような「歯肉線維芽細胞」は、歯肉の軟質結合組織内で移動可能であり、粘着可能でありかつ増殖可能である間葉細胞であって、これにより機械的応力、バクテリア感染、またはｐＨ及び温度の変化のようなさまざまな侵襲にさらされる歯肉組織の完全性を維持する間葉細胞に関する。歯肉線維芽細胞は、とりわけ、Gogly et al., (1997) Clin. Oral Invest. 1:147-152; Gogly et al. (1998) Biochem. Pharmacol. 56:1447-1454; and Ejeil et al. (2003) J. Periodontol. 74:188-195に記載されている。
【００４４】
環境状態に応じて、歯肉線維芽細胞は、細胞の表現型を調節することと、基質成分または基質関連酵素を増殖、移動、合成することと、が可能である。
【００４５】
歯肉線維芽細胞は、コラーゲン（例えばＩ、III、Ｖ、VI、VII、XII型）、弾性繊維（オキシタラン、エラウニン及びエラスチン）、プロテオグリカン及びグルコサミノグリカン（例えばデコリン、バイグリカン）、糖タンパク（例えばフィブロネクチン、テネイシン）を合成する。同時に、歯肉線維芽細胞は、高分子化合物（基質分解酵素：ＭＭＰｓ）を分解することが可能な酵素を合成するが、ＭＭＰｓの活性体を抑制する酵素（分解酵素抑制剤：ＴＩＭＰｓ）を合成する。このため、歯肉線維芽細胞は、細胞外基質の再構成における重要な主体である。
【００４６】
歯肉線維芽細胞を採取し、培養しかつ保存する手順は、当業者によく知られており、特に、Naveau et al. (2006) J. Periodontol. 77:238-47に記載されている。
【００４７】
好ましい実施形態
図１から図４は、本発明におけるデバイスの第１実施形態を示しており、この実施形態は、血管の傷を治療するのに適している。
【００４８】
血管１は、図１、図２及び図４において、長手方向断面で示されており、図３において、横断面で示されている。治療デバイス２は、上記血管の内部キャビティにおいて血管の傷部位に沿って配置されている。
【００４９】
図１から図４のデバイス２は、全体的に管状をなしている。デバイスは、拡張可能であり、デバイスは、血管の傷部位に向けて移動され、そして拡張され、デバイスの外径Ｄ２は、血管の内径と一致する。もちろん、この外径は、血管が一定の直径も完全な縁断面も有していないため、デバイス全体に沿って変化してもよい。
【００５０】
デバイスは、ほぼ管状である２つの壁部２１、２２を備えており、１つの第１壁部２１と１つの壁部２２とは、それぞれ内側と外側とにある。２つの壁部は、壁部共通の長手方向端部において共に結合されており、キャビティ２４は、２つの壁部間に形成される。キャビティは、好ましくは加圧下で、治療薬を有する物質３を収容している。
【００５１】
内壁部２１は、堅固であり、図においてドットで示されている物質３は、内壁部２１を通って漏洩することが防止されている。内壁部は、生体分解性である。
【００５２】
一方、外壁部は、血管の損傷部位と接触する部分２５において、多孔性部分である。この多孔性部分２５は、治療薬が通るように浸透させて治療薬を損傷部位に投薬するように設計されている。
【００５３】
この多孔性部分２５の長手方向端部それぞれを越えて、外壁部２２の長手方向端部には、２つの堅固部分２６がある。これら堅固部分２６が血管の壁部４と接触するように設けられているため、堅固部分は、外壁部２２と壁部４との間において多孔性部分２５を通って浸透する薬が漏洩することを防止する。
【００５４】
デバイス２がほぼ管状であるため、配置されると、デバイスは、治療中における血液流動Ｆを可能とする。そして、干渉は、患者に対する創傷性障害を抑制し、はるかに小さい期間及びはるかに少ない機器を必要とする。
【００５５】
図１に特に示されるように、デバイス２は、デバイスの径方向拡張を定めかつ治療に沿ってデバイスの拡張を維持するために用いられるステント６を備えている。特に、ステント６は、キャビティが空の場合でさえも血管の壁部４と接触する外壁部２２を維持するように設計されている。拡げられた血管に使用されるステントに関して、このようなステント６は、強度が血管を拡げるよりもデバイス２を維持するために必要でないため、軽量な設計となっている。
【００５６】
これらステントは、自己拡張可能であり、例えばステントは、例えば２０℃または２５℃の手術室の温度で減少した直径で維持されており、そして、形状記憶を用いて、約３７℃の患者の身体温度で大きな直径を引き起こす。
【００５７】
図２に示すように、自己拡張可能でない場合、ステントは、まずバルーンによって拡張され、ステントにおいて残存する弾性は、内壁部２１を外壁部２２に向けて推進させることによって、キャビティを空にすることを補償する。
【００５８】
デバイスを所定位置で解放すると、キャビティは、ほぼ空になっている。デバイスには、図４に示すように、キャビティを充填する手段７が設けられている。これら手段は、供給カテーテル（図示略）に接続するパイプ部分７２と、キャビティ２４を充填した後にパイプ部分７２を通る物質の漏洩を防止するバルブ７１と、を備えている。状況に応じて、デバイスには、排出パイプ部分と排出バルブとを備える第２充填手段が設けられており、十分な圧力がキャビティ２４に達すると、バルブは、開放するように設計されており、特に過剰量の物質は、排出パイプを通って解放される。
【００５９】
図５及び図６は、平坦創傷、特に皮膚創傷を治療するのに適した第２実施形態を示している。
【００６０】
この第２実施形態において、デバイス２は、ほぼ平坦形状である。また、このデバイス２は、１つの第１壁部２１と１つの第２壁部２２とを有しており、２つの壁部は、壁部の共通する周辺部分２６において共に結合され、キャビティ２４は、２つの壁部間に形成されている。キャビティは、好ましくは加圧下で、治療薬を有する物質を収容するのに適している。第１壁部２１は、堅固であり、物質は、第１壁部２１を通って漏洩することが防止されている。
【００６１】
第２壁部２２は、平坦面１０と接触することが意図されている一方、第１壁部は、同様に、平坦面１０の創傷領域１０１を環境の侵食から保護する。第２壁部２２は、多孔性部分２５を備えており、多孔性部分は、創傷領域１０１と接触し、多孔性部分を通して治療薬を浸透させて治療薬を創傷領域に分注するように設計されている。
【００６２】
多孔性部分２５は、周辺堅固部分２６で囲まれており、上記周辺部分は、好ましくは、粘着面を有して多孔性部分を創傷領域に当接して維持する。
【００６３】
図５における平坦配置において、第２壁部の粘着部分は、キャビティの周囲にあり、第２壁部の多孔性部分は、キャビティの全面に及んでいる。図６における平坦配置において、第２壁部の粘着部分は、キャビティと平坦面との間に配置されており、多孔性部分は、キャビティのこの側面の一部にのみ及ぶ。
【００６４】
有利には、第１壁部は、弾性を有しており、キャビティがいくらかの物質を収容していると、第１壁部は、キャビティ内にある物質に圧力をかけ、圧力は、物質が多孔性部分を通って現れるのに十分となっている。
【００６５】
デバイスには、図５に示すように、キャビティを充填する手段７が設けられている。これら手段は、第１及び第２充填手段７Ａ、７Ｂを備えている。第１充填手段７Ａは、供給カテーテル（図示略）に接続する供給パイプ部分７２と、キャビティ２４の充填後にパイプ部分７２を通って物質が漏洩することを防止するバルブ７１と、を備えている。第２充填手段７Ｂは、排出パイプ部分７４と、排出バルブ７５と、を備えている。十分な圧力がキャビティ２４に達すると、バルブは、開放するように設計されており、特に、過剰量の物質は、排出パイプ７４を通って解放される。
【００６６】
キャビティを充填する薬は、好ましくは、細胞の懸濁液である。また、細胞の懸濁液は、治療化合物よりなる。好ましくは、懸濁液にある細胞は、歯肉線維芽細胞である。
【００６７】
有利には、歯肉線維芽細胞は、動脈再構築病変（国際公開第２００６／０１３２６１号パンフレット）を治療するため、最近では皮膚創傷治療を推進しかつ促進するに示されている。また、有利には、歯肉線維芽細胞は、容易にサンプリングされかつ培養される。さらに、歯肉線維芽細胞は、高膨張速度を有している。したがって、歯肉線維芽細胞は、自己線維芽細胞のほぼ無限の源を提供する。
【００６８】
また、好ましくは、細胞治療に使用される細胞は、自己系である、すなわち、細胞は、投与されることを対象とした個体から採取される。好ましくは、個体は、哺乳類であり、より好ましくは人間である。しかしながら、細胞は、同様に同種異系である、すなわち、細胞は、同種または異種の別の個体から採取され、細胞は、別の種の別の個体から採取される。
【００６９】
デバイス内の細胞数は、好ましくは、１０５／ｍｌから１０９／ｍｌである。キャビティが充填されて薬がキャビティを充填する場合のキャビティの容積は、圧力を受けており、薬は、状況に応じて多孔性壁部を通って、傷の方向へ移動する傾向がある。好ましくは、容積は、１００μｌから２０ｍｌである。
【００７０】
本発明におけるデバイスの移植手術は、当業者に明らかである。
【００７１】
例えば、皮膚創傷について、デバイスの多孔性壁部は、創傷に並置されており、例えば粘着手段を介して、密接した状態で維持されている。本発明におけるデバイスを血管に移植することに関して、当業者は、例えばステント移植に採用された一般的な手術にしたがう。簡潔には、シースは、大腿動脈に挿入され、そして、ワイヤは、大動脈を通って進められる。その後、デバイスを運搬するカテーテルは、デバイスが所望部位に達するまでワイヤにわたって進められる。
【００７２】
以下の特許請求の範囲で説明されるように、精密には説明されていない多様な構成及び実施形態が本発明の挟持の下で実施されることは、当業者に明らかである。
【００７３】
例えば、ステントの使用は、強制的に必要ではない。このため、内壁部は、キャビティが空になるにしたがって次第に拡大するのに十分な弾性を有してもよく、したがって、キャビティにおける十分な圧力を維持して多孔性部分２５を通って物質を浸透させ、かつ、外壁部２２を血管の壁部４に当接したままとする。
【００７４】
好ましくは、ステントは、ポリ乳酸のような吸収性物質で形成されている。吸収性でない場合、ステントは、鋼またはニチノール(Nitrinol)で形成されてもよい。
【００７５】
効能に応じて、第２壁部は、省略されてもよい。そして、キャビティは、組織と第１堅固壁部との間に形成されている。
【００７６】
好ましい実施形態において、上述したデバイスは、単一使用のみに適している、すなわち、デバイスは、デバイスがすでに個体における細胞治療に使用されていると二度目に再使用されない。
【符号の説明】
【００７７】
１  血管（生体組織）、２  デバイス，治療デバイス、３  物質（治療物質）、６  ステント（拡張手段）、７  手段（充填手段）、７Ａ  第１充填手段、７Ｂ  第２充填手段、１０  平坦面、２１  第１壁部，内壁部、２２  第２壁部，外壁部、２４  キャビティ、２５  多孔性部分，部分、２６  堅固部分，周辺部分，周辺堅固部分、７１  バルブ、７２  パイプ部分，供給パイプ部分、７４  排出パイプ，排出パイプ部分、７５  排出バルブ、１０１  創傷領域
【図１】
0005476515.tif 000002
【図２】
0005476515.tif 000003
【図３】
0005476515.tif 000004
【図４】
0005476515.tif 000005
【図５】
0005476515.tif 000006
【図６】
0005476515.tif 000007